【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
シート材（２４８）を折り曲げる方法であって、
シート材（２４８）を折り曲げローラ（１０６）及び折り曲げブレード（１０４）間の領域に送り込むステップと、
前記折り曲げローラ（１０６）及び前記折り曲げブレード（１０４）を相対的に移動させるステップであって、それにより、前記折り曲げブレード（１０４）を使用して前記シート材（２４８）に折り目（２４６）を付ける、移動させるステップとを含み、前記折り曲げローラ（１０６）及び前記折り曲げブレード（１０４）間の作動連通が、前記折り曲げローラ（１０６）を前記折り曲げブレード（１０４）の長手軸に沿って変位させることを特徴とするシート材を折り曲げる方法。
【請求項２】
前記折り曲げローラ（１０６）は、前記作動連通中にアーム（１０８）上で回転することを特徴とする請求項１に記載のシート材を折り曲げる方法。
【請求項３】
前記作動連通の結果として前記アーム（１０８）が回動し、それにより、前記折り曲げローラ（１０６）は、前記折り曲げブレード（１０４）の前記長手軸に沿って転動することを特徴とする請求項２に記載のシート材を折り曲げる方法。
【請求項４】
前記折り曲げローラ（１０６）が前記折り曲げブレード（１０４）の前記長手軸に沿って転動する時、ばねが、前記折り曲げローラ（１０６）を前記折り曲げブレード（１０４）に押し付けることを特徴とする請求項３に記載のシート材を折り曲げる方法。
【請求項５】
送りねじ（１２８）の第１方向への回転が、前記折り曲げローラ（１０６）を移動させて前記折り曲げブレード（１０４）に当接させ、それによってシート材に折り目（２４６）を付けるように機能することを特徴とする請求項１に記載のシート材を折り曲げる方法。
【請求項６】
請求項１の方法で使用されるシート材折り曲げシステムであって、
折り曲げブレード（１０４）と、
折り曲げローラ（１０６）と、
前記折り曲げブレード（１０４）及び前記折り曲げローラ（１０６）の少なくとも一方を第１経路に沿って、互いに作動連通する状態となるように移動させる駆動手段とを備えており、前記作動連通は、前記折り曲げローラ（１０６）を前記折り曲げブレード（１０４）の長手軸に沿って変位させることを特徴とするシート材折り曲げシステム。
【請求項７】
アーム（１０８）を備えており、前記折り曲げローラ（１０６）は、前記アーム（１０８）の第１端部に回転可能に取り付けられており、前記作動連通の結果として、前記アーム（１０８）が回動し、それにより、前記折り曲げローラ（１０６）が前記折り曲げブレード（１０４）の長手軸に沿って転動することを特徴とする請求項６に記載のシート材折り曲げシステム。
【請求項８】
前記アーム（１０８）の第２端部に取り付けられたばね（１１０）を備えており、前記折り曲げローラ（１０６）が前記折り曲げブレード（１０４）の前記長手軸に沿って転動する時、前記ばね（１１０）は、前記折り曲げローラ（１０６）を前記折り曲げブレード（１０４）に押し付けることを特徴とする請求項７に記載のシート材折り曲げシステム。
【請求項９】
前記ばね（１１０）はねじりばねであることを特徴とする請求項８に記載のシート材折り曲げシステム。
【請求項１０】
複数の折り曲げローラ（１０６）を備えており、前記折り曲げローラ（１０６）の初期配置は、一の折り曲げローラ（１０６）の移動範囲が、他の折り曲げローラ（１０６）の移動範囲と重なるように成されることを特徴とする請求項６に記載のシート材折り曲げシステム。
【手続補正２】
【補正対象書類名】明細書
【補正対象項目名】０００６
【補正方法】変更
【補正の内容】
【０００６】
本発明の１実施形態において、シート材折り曲げシステムが提供される。本システムは、折り曲げブレードと、折り曲げローラと、折り曲げブレード及び折り曲げローラの少なくとも一方を第１経路に沿って、互いに作動連通（連係動作）する状態となるように移動させる駆動手段とを備えており、この作動連通は、折り曲げローラを折り曲げブレードの長手軸に沿って変位させる。
【手続補正３】
【補正対象書類名】明細書
【補正対象項目名】００１６
【補正方法】変更
【補正の内容】
【００１６】
ピンチホィール１２０は、ピンチアクスル１３８を中心にして回転可能であり、任意の成形可能な材料（金属及びプラスチックが非制限的な例）か、あるいは変形可能すなわち弾性材料で形成することができる。図１Ａ及び図１Ｂに示された実施形態では、各ピンチホィール１２０が、凹状の円筒形接触面を有するが、この表面は異なった形状（たとえば、凸状または平坦）にすることもできる。ピンチばね１２２は、線形の、あるいはコイル状のばねにすることができるが、変更例として任意の他の弾性付与手段にすることもできる。ピンチホィール１２０は、ピンチばね１２２によって垂直方向に付勢されており、それにより、ピンチホィール１２０がシートを折り曲げブレード１０４に係合させた後、ハウジング１０２が折り曲げブレード１０４の方に向かって並進し続けて、それによって、折り曲げ動作中、それを所定位置に固定することができる。
【手続補正４】
【補正対象書類名】明細書
【補正対象項目名】００２３
【補正方法】変更
【補正の内容】
【００２３】
図２Ｃは、折り曲げブレード２０４の方へ最も前進したハウジング２０２の位置を示す。この位置では、ピボットアーム２０８の各々が、ｙ軸から回転距離θ2に位置しており、折り曲げローラ２０６の各々は、（ピボットアーム２０８がすべて同一デフォルト位置で始まり、長さが同一であるとすれば、）＋ｘ方向に距離ｄ3だけ移動している。変更例として、折り曲げローラ２０６の各々または一部が、その他の折り曲げローラ２０６と異なった距離を移動することができる。
【手続補正５】
【補正対象書類名】明細書
【補正対象項目名】００２５
【補正方法】変更
【補正の内容】
【００２５】
上記工程を繰り返して、シート材２４８を折り目２４６の長さに沿って完全に折り曲げることができる。たとえば、シート材２４８をピンチホィール２２０によって折り曲げブレード２０４に固定したままで、ハウジング２０２を図２Ｂに示された位置から図２Ｃに示された位置へ複数回移動させることができる。折り目２４６の、ピンチホィール２２０によって挟まれている部分は、折り曲げ動作中に折り曲げロール２０６がシート材２４８のこの領域を折り曲げブレード２０４に押し付けながら転動しないことから、折り目２４６の他の部分ほどはっきり形成されないであろう。TrovingerのＰＣＴに記載されているように、シート毎の処理工程で冊子を作製する時、束状のシート材２４８のこれらの挟まれた部分をステープル綴じすることによって、折り曲げ済みシートの冊子を形成することができる。シート材２４８に折り目２４６が完全に形成されると、ハウジング２０２が折り曲げブレード２０４から図２Ａに示された位置へ、すなわち、シート経路外へ並進する。その際に、ピンチホィール２２０が折り曲げ済みシート材２４８を折り曲げブレード２０４から解放する。次に、折り曲げ済みシート材を折り曲げ装置２００から吐出して、たとえば、シート集積サドル(collecting saddle)などの下流側装置へ送達することができる。
【手続補正６】
【補正対象書類名】図面
【補正対象項目名】図１Ａ
【補正方法】変更
【補正の内容】
【図１Ａ】
2005537197.tif 000001
【手続補正７】
【補正対象書類名】図面
【補正対象項目名】図１Ｂ
【補正方法】変更
【補正の内容】
【図１Ｂ】
2005537197.tif 000002